(57)【要約】【課題】  フィルムシートの連続体１０Ａにシワが発生することを抑制できるとともに、フィルムシートの連続体１０Ａにシワが発生してしまった場合であっても、該フィルムシートの連続体１０Ａに発生したシワを伸ばすことができる間欠切断転写装置１を提供する。【解決手段】  本発明に係る間欠切断転写装置１は、フィルムシートの連続体１０Ａを、下刃ロール４０の外周面４１上の第１領域４１Ａ内に形成されている吸着穴４３を介した吸着によって該下刃ロール４０の外周面４１上に吸着させた状態で、ブレード３２と受け刃４２との間に導くように構成されており、第１領域４１Ａは、複数の吸着穴４３が形成されている吸着領域４１Ａ−１と、吸着穴４３が形成されていない非吸着領域４１Ａ−２とによって構成されており、吸着領域４１Ａ−１と非吸着領域４１Ａ−２とは、ロール周方向に沿って交互に設けられていることを要旨とする。【選択図】    図４
2010013196.tif 000002
【特許請求の範囲】
【請求項１】
フィルムシートの連続体を切断することによって得られたフィルムシートを、連続搬送されているウェブに間欠的に転写するように構成されている間欠切断転写装置であって、
外周面上にブレードが設けられている上刃ロールと、外周面上に受け刃が設けられ、かつ、複数の吸着穴が形成されている下刃ロールとを具備しており、
前記上刃ロール及び前記下刃ロールは、互いに逆向きで、ほぼ同一の周速で回転し、該下刃ロールに対してフィルムシートの連続体が供給される速度よりも早い周速で回転し、かつ、前記ウェブの搬送速度と同じ或いは該ウェブの搬送速度よりも遅い周速で回転するように構成されており、
前記フィルムシートの連続体を、前記下刃ロールの外周面上の第１領域内に形成されている前記吸着穴を介した吸着によって該下刃ロールの外周面上に吸着させた状態で、前記ブレードと前記受け刃との間に導くように構成されており、
前記ブレードと前記受け刃との接触によって、前記フィルムシートの連続体を間欠的に切断して、前記フィルムシートを形成するように構成されており、
前記切断された前記フィルムシートを、前記下刃ロールの外周面上の第２領域内に形成されている前記吸着穴を介した吸着によって該下刃ロールの外周面上に吸着させた状態で、前記ウェブ上に導いて転写するように構成されており、
前記第１領域は、複数の吸着穴が形成されている吸着領域と、吸着穴が形成されていない非吸着領域とによって構成されており、
前記吸着領域と前記非吸着領域とは、ロール周方向に沿って交互に設けられていることを特徴とする間欠切断転写装置。
【請求項２】
前記吸着領域のロール周方向に沿った幅は、前記非吸着領域のロール周方向に沿った幅よりも短くなるように構成されていることを特徴とする請求項１に記載の間欠切断転写装置。
【請求項３】
前記吸着穴は、ロール周方向及びロール幅方向にそれぞれ所定間隔を置いて配置され、かつ、ロール周方向に隣接するもの同士が互いにズレて配列されていることを特徴とする請求項１又は２に記載の間欠切断転写装置。
【請求項４】
複数の前記吸着穴のうちの１つの吸着穴と、ロール周方向に隣接する前記吸着穴とのロール周方向に沿った距離は、前記吸着穴の径よりも小さくなるように構成されている請求項３に記載の間欠切断転写装置。
【請求項５】
複数の前記吸着穴のうちの１つの吸着穴と、ロール周方向に隣接する前記吸着穴とのロール幅方向に沿った距離は、前記吸着穴の径よりも小さくなるように構成されている請求項３に記載の間欠切断転写装置。
【請求項６】
前記受け刃のロール回転方向の後側において、該受け刃に最も隣接する前記吸着領域と、前記受け刃とのロール周方向に沿った幅は、前記非吸着領域のロール周方向に沿った幅よりも小さくなるように構成されていることを特徴とする請求項１に記載の間欠切断転写装置。
【請求項７】
前記吸着領域は、ロール幅方向に対して傾斜した傾斜領域を少なくとも含み、
ロール幅方向の中心を通る中心線の一方に設けられる前記傾斜領域と、該中心線の他方に設けられる前記傾斜領域とは、ロール回転方向の逆方向へ向かって互いに広がるように傾斜することを特徴とする請求項１に記載の間欠切断転写装置。
【発明の詳細な説明】
【技術分野】
【０００１】
本発明は、フィルムシートの連続体を切断することによって得られたフィルムシートを、連続搬送されているウェブに間欠的に転写するように構成されている間欠切断転写装置に関する。
【背景技術】
【０００２】
従来から、使い捨ておむつを製造する過程で使用される間欠切断装置は、キャラクタや図形などの模様が付されているフィルムシートの連続体を切断することによって得られたフィルムシートを、連続搬送されているウェブに間欠的に転写するように構成されている。
【０００３】
一般的に、フィルムシートは、ウェブよりも通気性が低く、かつ、厚みが薄くてしなやかに構成されている。すなわち、フィルムシートは、剛性及び復元力が低い特性を有している。
【０００４】
かかる間欠切断転写装置は、外周面上にブレードが設けられている上刃ロールと、外周面上に受け刃が設けられ、かつ、外周面全域にメッシュ状の吸着プレートが形成される下刃ロールとを具備している（例えば、特許文献１参照）。
【０００５】
上刃ロール及び下刃ロールは、互いに逆向きで、ほぼ同一の周速で回転し、該下刃ロールに対してフィルムシートの連続体が供給される速度よりも早い周速で回転し、かつ、ウェブの搬送速度とほぼ同一の周速或いは該ウェブの搬送速度よりも遅い周速で回転するように構成されている。
【０００６】
以下において、上述した間欠切断転写装置を用いて、フィルムシートをウェブ連続体に間欠的に転写する工程について説明する。
【０００７】
第１工程において、間欠切断転写装置は、フィルムシートの連続体を、下刃ロールの外周面全域に形成されるメッシュ状の吸着プレートを介した吸着によって該下刃ロールの外周面上に吸着させた状態で、ブレードと受け刃との間に導く。
【０００８】
このとき、フィルムシートの連続体は、下刃ロールに対してフィルムシートの連続体が供給される速度よりも早い周速で上刃ロール及び下刃ロールが回転していることによって、下刃ロールの外周面上を滑るようにして、ブレードと受け刃との間に導びかれる。
【０００９】
第２工程において、間欠切断転写装置は、ブレードと受け刃との接触によって、フィルムシートの連続体を間欠的に切断して、フィルムシートを形成する。
【００１０】
第３工程において、間欠切断転写装置は、切断されたフィルムシートを、下刃ロールの外周面全域に形成されるメッシュ状の吸着プレートを介した吸着によって該下刃ロールの外周面上に吸着させた状態で、ウェブ上に導く。
【００１１】
第４工程において、間欠切断転写装置１は、下刃ロールの外周面上に吸着されるフィルムシートをウェブ２０上に転写する。
【特許文献１】特開平１０−２１８４７１号公報（第４−６頁、第３図）
【発明の開示】
【発明が解決しようとする課題】
【００１２】
しかしながら、上述した従来の間欠切断転写装置には、次のような問題があった。すなわち、従来の間欠切断転写装置は、下刃ロールの外周面全域に形成されるメッシュ状の吸着プレートを介した吸着であるため、一度フィルムシートの連続体にシワが発生してしまうと、該シワを延ばすことができないという問題があった。特に、フィルムシートは、剛性及び復元力が低い特性を有しているため、１度シワが発生してしまうと復元できない。
【００１３】
これにより、フィルムシートの連続体は、シワが発生した状態でブレードと受け刃との接触によって切断されてしまう。そして、切断されたフィルムシートは、シワが発生した状態のままがウェブ上に転写されることになる。
【００１４】
そこで、本発明は、このような状況に鑑みてなされたものであり、フィルムシートの連続体にシワが発生することを抑制できるとともに、フィルムシートの連続体にシワが発生してしまった場合であっても、該フィルムシートの連続体に発生したシワを伸ばすことができる間欠切断転写装置を提供することを目的とする。
【課題を解決するための手段】
【００１５】
上述した状況を解決するため、本発明は、次のような特徴を有している。まず、本発明の第１の特徴は、フィルムシートの連続体を切断することによって得られたフィルムシートを、連続搬送されているウェブに間欠的に転写するように構成されている間欠切断転写装置であって、外周面上にブレードが設けられている上刃ロールと、外周面上に受け刃が設けられ、かつ、複数の吸着穴が形成されている下刃ロールとを具備しており、上刃ロール及び下刃ロールは、互いに逆向きで、ほぼ同一の周速で回転し、該下刃ロールに対してフィルムシートの連続体が供給される速度よりも早い周速で回転し、かつ、ウェブの搬送速度と同じ或いは該ウェブの搬送速度よりも遅い周速で回転するように構成されており、フィルムシートの連続体を、下刃ロールの外周面上の第１領域内に形成されている吸着穴を介した吸着によって該下刃ロールの外周面上に吸着させた状態で、ブレードと前記受け刃との間に導くように構成されており、ブレードと受け刃との接触によって、フィルムシートの連続体を間欠的に切断して、フィルムシートを形成するように構成されており、切断されたフィルムシートを、下刃ロールの外周面上の第２領域内に形成されている吸着穴を介した吸着によって該下刃ロールの外周面上に吸着させた状態で、ウェブ上に導いて転写するように構成されており、第１領域は、複数の吸着穴が形成されている吸着領域と、吸着穴が形成されていない非吸着領域とによって構成されており、吸着領域と非吸着領域とは、ロール周方向に沿って交互に設けられていることを要旨とする。
【発明の効果】
【００１６】
本発明によれば、フィルムシートの連続体にシワが発生することを抑制できるとともに、フィルムシートの連続体にシワが発生してしまった場合であっても、該フィルムシートの連続体に発生したシワを伸ばすことができる間欠切断転写装置を提供することができる。
【発明を実施するための最良の形態】
【００１７】
以下において、本発明に係る間欠切断転写装置の一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
（間欠切断転写装置の構成）
まず、本実施形態に係る間欠切断転写装置の構成について、図面を参照しながら説明する。図１は、本実施形態に係る間欠切断転写装置１を示す斜視図である。図２は、本実施形態に係る間欠切断転写装置１を示す側面図（図１のＡ矢視図）である。
【００２０】
図１及び図２に示すように、間欠切断転写装置１は、キャラクタや図形などの模様が付されているフィルムシートの連続体１０Ａを切断することによって得られるフィルムシート１０を、連続搬送されているウェブ２０に間欠的に転写するように構成されている。
【００２１】
なお、切断されたフィルムシート１０の搬送方向（以下、ＭＤ方向）に沿った長さ（Ｌ１）は、ＭＤ方向に直交する方向（以下、ＣＤ方向）に沿った長さ（Ｌ２）よりも短い。
【００２２】
かかる間欠切断転写装置１は、上刃ロール３０と、下刃ロール４０と、転写ロール５０とによって大略構成されている。
【００２３】
上刃ロール３０の外周面３１上には、２つのブレード３２が設けられている。上刃ロール３０は、下刃ロール４０とほぼ同一周速（Ｖ１）で回転する。上刃ロール３０は、一対の駆動ロール６０，６１により下刃ロール４０に対してフィルムシートの連続体１０Ａが供給される速度（Ｖ２）よりも早い周速（Ｖ１）で回転する。上刃ロール３０は、駆動ロール６２，６３により連続搬送されるウェブ２０の搬送速度（Ｖ３）とほぼ同一の周速（Ｖ１）、或いは、ウェブ２０の搬送速度（Ｖ３）よりも遅い周速（Ｖ１）で回転する。
【００２４】
下刃ロール４０の外周面４１上には、外周面４１上に２つの受け刃４２が設けられ、かつ、フィルムシートの連続体１０Ａ及びフィルムシート１０を吸着する複数の吸着穴４３とが形成されている。下刃ロール４０は、上刃ロール３０に対して逆向きで、ほぼ同一の周速（Ｖ１）で回転する。なお、下刃ロール４０の構成については、後述する（図３参照）。
【００２５】
転写ロール５０は、駆動ロール６２，６３により連続搬送されるウェブ２０を下刃ロール４０に接触させる。転写ロール５０は、ウェブ２０の搬送速度（Ｖ３）とほぼ同一の周速（Ｖ４）で回転する。すなわち、転写ロール５０は、上述した上刃ロール３０及び下刃ロール４０の周速（Ｖ１）とほぼ同一の周速（Ｖ４）、或いは、上刃ロール３０及び下刃ロール４０の周速（Ｖ１）よりも早い周速（Ｖ４）で回転する。
【００２６】
（下刃ロールの構成）
次に、上述した下刃ロール４０の構成について、図面を参照しながら説明する。図３は、本実施形態に係る下刃ロール４０を示すロール幅方向断面図（図２のＢ−Ｂ断面図）である。
【００２７】
図３に示すように、下刃ロール４０は、ロール軸７０と一体に形成されている。下刃ロール４０は、一対のフレーム７１Ａ，７１Ｂ間において、軸受７２を介して回転するように構成されている。
【００２８】
下刃ロール４０には、下刃ロール４０の一方の端面４４ａから他方の端面４４ｂにかけて貫通する横穴４５Ａ，４５Ｂと、横穴４５Ａ，４５Ｂ及び複数の吸着穴４３を連結する開口穴４６Ａ，４６Ｂとが形成されている。複数の吸着穴４３は、開口穴４６Ａ，４６Ｂに対応した位置に形成される。
【００２９】
下刃ロール４０と一方のフレーム７１Ａとの間には、吸着部材８０が設けられ、下刃ロール４０と他方のフレーム７１Ｂとの間には、封止部材９０が設けられている。
【００３０】
吸着部材８０及び封止部材９０は、下刃ロール４０の直径とほぼ同一の直径であり、円盤状に形成されている。吸着部材８０及び封止部材９０は、フレーム７１Ａ，７１Ｂのそれぞれに固定され、下刃ロール４０とともに回転しないように構成されている。
【００３１】
吸着部材８０には、フィルムシートの連続体１０Ａを吸着する第１吸着用溝８１と、切断されたフィルムシート１０をウェブ２０上まで吸着する第２吸着用溝８２と、下刃ロール４０の外周面４１に吸着されるフィルムシート１０を転写するための転写用溝８３とが形成されている。
【００３２】
第１吸着用溝８１は、下刃ロール４０に形成される横穴４５Ａに対応し、かつ、下刃ロール４０の外周面４１にフィルムの連続体１０Ａが巻き付く部分に対応した位置に形成されている。第１吸着用溝８１には、該第１吸着用溝８１と、横穴４５Ａ内のエアーを吸引するサクションエアー供給手段（不図示）とを接続するサクション用接続管８４が連結されている。
【００３３】
第２吸着用溝８２は、下刃ロール４０に形成される横穴４５Ｂに対応し、かつ、下刃ロール４０の外周面４１に、切断されたフィルムシート１０が巻き付く部分に対応した位置に形成されている。第２吸着用溝８２には、該第２吸着用溝８２と、横穴４５Ｂ内のエアーを吸引するサクションエアー供給手段（不図示）とを接続するサクション用接続管８５が連結されている。
【００３４】
転写用溝８３は、下刃ロール４０に形成される横穴４５Ｂに対応し、かつ、切断されたフィルムシート１０を転写する部分に対応した位置に形成されている。転写用溝８３には、該転写用溝８３と、サクションエアー供給手段によるエアーの吸引を解除するエアー解除手段（不図示）とを接続する転写用接続管（不図示）が連結されている。
【００３５】
なお、エアー解除手段は、必ずしもサクションエアー供給手段によるエアーの吸引を解除する必要はなく、転写用溝８３（転写用接続管）を介してエアーを吹き出す構成であってもよい。
【００３６】
ここで、本実施形態では、吸着部材８０は、下刃ロール４０と一方のフレーム７１Ａとの間に設けられているものとして説明したが、これに限定されるものではなく、封止部材９０に替えて、下刃ロール４０と他方のフレーム７１Ｂとの間にも設けられていてもよい。すなわち、サクションエアー供給手段は、横穴４５Ａ，４５Ｂの両端部からエアーの供給を行うものであってもよい。
【００３７】
（複数の吸着穴の配列）
次に、上述した下刃ロール４０に設けられる複数の吸着穴４３の配列について、図面を参照しながら説明する。図４は、本実施形態に係る下刃ロール４０を示す斜視図である。図５は、本実施形態に係る下刃ロール４０を示す展開図である。図６は、本実施形態に係る吸着穴近傍を示す拡大図で（図５のＣ拡大図）ある。図７は、本実施形態に係るフィルムシートを示す上面図である。
【００３８】
図４及び図５に示すように、複数の吸着穴４３は、下刃ロール４０の外周面４１上の第１領域４１Ａ内と、第２領域４１Ｂ内とに形成されている。
【００３９】
第１領域４１Ａ内及び第２領域４１Ｂ内において、複数の吸着穴４３は、ロール周方向及びロール幅方向にそれぞれ所定間隔を置いて配置され、かつ、ロール周方向に隣接するもの同士が互いにズレて配列されている（いわゆる、千鳥状配列）。
【００４０】
具体的には、図６に示すように、複数の吸着穴４３のうちの１つの吸着穴４３と、ロール周方向に隣接する吸着穴４３とのロール周方向に沿った距離（Ｓ１）は、吸着穴４３の径（Ｄ）よりも小さくなるように構成されている。
【００４１】
また、複数の吸着穴４３のうちの１つの吸着穴４３と、ロール周方向に隣接する吸着穴４３とのロール幅方向方向に沿った距離（Ｓ２）は、吸着穴４３の径（Ｄ）よりも小さくなるように構成されている。
【００４２】
第１領域４１Ａは、複数の吸着穴４３が形成されている吸着領域４１Ａ−１と、複数の吸着穴４３が形成されていない非吸着領域４１Ａ−２とによって構成される。すなわち、吸着領域４１Ａ−１における吸着保持力は、非吸着領域４１Ａ−２における吸着保持力よりも強い。
【００４３】
吸着領域４１Ａ−１と非吸着領域４１Ａ−２とは、ロール幅方向に沿って設けられている。また、吸着領域４１Ａ−１と非吸着領域４１Ａ−２とは、ロール周方向に沿って交互に設けられている。
【００４４】
吸着領域４１Ａ−１のロール周方向に沿った幅（Ｗ１）は、非吸着領域４１Ａ−２のロール周方向に沿った幅（Ｗ２）よりも短くなるように構成されている。
【００４５】
吸着領域４１Ａ−１のロール幅方向に沿った幅（Ｗ３）は、フィルムシート１０のＣＤ方向に沿った長さ（Ｌ２）よりも広くなるように構成されている。
【００４６】
ここで、受け刃４２のロール回転方向の後側において、最も該受け刃４２に隣接する吸着領域４１Ａ−１１と、受け刃４２とのロール周方向に沿った幅（Ｗ４）は、非吸着領域４１Ａ−２のロール周方向に沿った幅（Ｗ２）よりも小さくなるように構成されている。特に、この幅（Ｗ４）は、吸着穴４３の径（Ｄ）よりも小さいことが好ましく、できる限り小さいことがより好ましい。
【００４７】
第２領域４１Ｂは、複数の吸着穴４３が形成されているエッジ領域４１Ｂ−１と、複数の吸着穴４３が形成されていない中央領域４１Ｂ−２とによって構成される。すなわち、エッジ領域４１Ｂ−１における吸着保持力は、中央領域４１Ｂ−２における吸着保持力よりも強い。
【００４８】
エッジ領域４１Ｂ−１は、フィルムシート１０の両側縁領域１１及び進行方向の前端領域１２に対向している。
【００４９】
ここで、図７に示すように、フィルムシート１０の両側縁領域１１は、フィルムシート１０の両端部１１Ａを基準に、ＣＤ方向に沿った長さ（Ｌ２）に対して２５％以内の領域を示す。フィルムシート１０の進行方向の前端領域１２は、フィルムシートの前端部１２Ａを基準に、ＭＤ方向に沿った長さ（Ｌ１）に対して５０％以内の領域を示す。但し、フィルムシート１０の総面積に対して５０％以上の中央領域４１Ｂ−２の面積を確保することが条件である。
【００５０】
エッジ領域４１Ｂ−１のロール幅方向に沿った最大幅（Ｗ５）は、上述した吸着領域４１Ａ−１のロール幅方向に沿った幅（Ｗ３）とほぼ等しく、すなわち、フィルムシート１０のＣＤ方向に沿った長さ（Ｌ２）よりも広くなるように構成されている。
【００５１】
中央領域４１Ｂ−２は、フィルムシート１０の両側縁領域１１及び進行方向の前端領域１２以外の残りの領域１３に対向している。なお、図７に示すように、残りの領域１３は、上述したフィルムシート１０の両側縁領域１１及び進行方向の前端領域１２よりも内側の領域を示す。
【００５２】
（間欠切断転写装置の動作）
次に、本実施形態に係る間欠切断転写装置１の動作について、簡単に説明する。
【００５３】
第１工程において、間欠切断転写装置１は、フィルムシートの連続体１０Ａを、下刃ロール４０の外周面４１上の第１領域４１Ａ（吸着領域４１Ａ−１）内に形成される複数の吸着穴４３を介したサクションエアー供給手段の吸着によって該下刃ロール４０の外周面４１上に吸着させた状態で、ブレード３２と受け刃４２との間に導く。
【００５４】
このとき、フィルムシートの連続体１０Ａは、下刃ロール４０に対してフィルムシートの連続体１０Ａが供給される速度（Ｖ２）よりも早い周速（Ｖ１）で上刃ロール３０及び下刃ロール４０が回転していることによって、下刃ロール４０の外周面４１上を滑るようにして、ブレード３２と受け刃４２との間に導びかれる。
【００５５】
第２工程において、間欠切断転写装置１は、ブレード３２と受け刃４２との接触によって、フィルムシートの連続体１０Ａを間欠的に切断して、フィルムシート１０を形成する。なお、フィルムシート１０のＭＤ方向に沿った長さ（Ｌ１）は、フィルムシート１０のＣＤ方向に沿った長さ（Ｌ２）よりも短い。
【００５６】
第３工程において、間欠切断転写装置１は、切断されたフィルムシート１０を、下刃ロール４０の外周面４１に形成される第２領域４１Ｂ（エッジ領域４１Ｂ−１）内に形成される複数の吸着穴４３を介したサクションエアー供給手段の吸着によって該下刃ロール４０の外周面４１上に吸着させた状態で、ウェブ２０上に導く。
【００５７】
第４工程において、間欠切断転写装置１は、下刃ロール４０の外周面４１上に吸着されるフィルムシート１０を、エアー解除手段によりサクションエアー供給手段によるエアーの吸引を解除することによって、ウェブ２０上に転写する。
【００５８】
（作用・効果）
本実施形態に係る間欠切断転写装置１では、第１領域４１Ａが吸着領域４１Ａ−１と非吸着領域４１Ａ−２とによって構成されており、吸着領域４１Ａ−１と非吸着領域４１Ａ−２とは、ロール周方向に沿って交互に設けられている。これによれば、フィルムシートの連続体１０Ａがブレード３２と受け刃４２との間に導かれるまで（すなわち、カット前）において、下刃ロール４０の外周面４１上をフィルムシートの連続体１０Ａが滑るときに、非吸着領域４１Ａ−２上でフィルムシートの連続体１０Ａが平らな状態（フラット状態）となる。
【００５９】
そして、フィルムシートの連続体１０Ａは、平らな状態で下刃ロール４０の外周面４１上に吸着されながら、平らな状態で該下刃ロール４０の外周面４１上に保持される。つまり、非吸着領域４１Ａ−２においてフィルムシートの連続体１０Ａを平らな状態として、吸着領域４１Ａ−１においてフィルムシートの連続体１０Ａを平らな状態で該下刃ロール４０の外周面４１上で保持する動作を、下刃ロール４０の回転により常に繰り返えすことができる。従って、フィルムシートの連続体１０Ａにシワが発生することを抑制できるとともに、フィルムシートの連続体１０Ａにシワが発生してしまった場合であっても、該フィルムシートの連続体１０Ａに発生したシワを伸ばすことができる。
【００６０】
本実施形態に係る間欠切断転写装置１では、吸着領域４１Ａ−１のロール周方向に沿った幅（Ｗ１）は、非吸着領域４１Ａ−２のロール周方向に沿った幅（Ｗ２）よりも短くなるように構成されている。これによれば、フィルムシートの連続体１０Ａは、下刃ロール４０の外周面４１上を滑るときに、非吸着領域４１Ａ−２上を滑る距離が長くなるため、非吸着領域４１Ａ−２上（すなわち、フラット面）で平らな状態になりやすくなる。従って、フィルムシートの連続体１０Ａにシワが発生することをさらに抑制できる。
【００６１】
本実施形態に係る間欠切断転写装置１では、複数の吸着穴４３は、ロール周方向及びロール幅方向にそれぞれ所定間隔を置いて配置され、かつ、ロール周方向に隣接するもの同士が互いにズレて配列されている。これによれば、下刃ロール４０の外周面４１上を滑ったフィルムシートの連続体１０Ａを平らな状態で均一に保持しやすくなる。従って、フィルムシートの連続体１０Ａにシワが発生することをさらに抑制できる。
【００６２】
特に、複数の吸着穴４３のうちの１つの吸着穴４３と、ロール周方向に隣接する吸着穴４３とのロール周方向に沿った距離（Ｓ１）は、吸着穴４３（Ｄ）の径よりも小さくなるように構成されている。また、複数の吸着穴４３のうちの１つの吸着穴４３と、ロール周方向に隣接する吸着穴４３とのロール幅方向に沿った距離（Ｓ２）は、吸着穴４３の径（Ｄ）よりも小さくなるように構成されている。従って、下刃ロール４０の外周面４１上を滑ったフィルムシートの連続体１０Ａを平らな状態で均一に保持しやすくなる。
【００６３】
ところで、フィルムシートの連続体１０Ａは、ブレード３２と受け刃４２との接触により乱れる可能性がある。そこで、吸着領域４１Ａ−１１と受け刃４２とのロール周方向に沿った幅（Ｗ４）は、非吸着領域４１Ａ−２のロール周方向に沿った幅（Ｗ２）よりも小さくなるように構成されている。特に、この幅（Ｗ４）は、吸着穴４３の径（Ｄ）よりも小さいことが好ましく、できる限り小さいことがより好ましい。これによれば、フィルムシートの連続体１０Ａは、ブレード３２と受け刃４２との接触により切断した後、すぐに吸着領域４１Ａ−１１に形成された吸着穴４３を介した吸着により下刃ロール４０の外周面４１上に吸着される。従って、フィルムシートの連続体１０Ａがメクれたり、折れ曲がってしまうことを防止することができる。
【００６４】
（変更例）
上述した実施形態に係る吸着領域４１Ａ−１は、ロール幅方向に沿って設けられているものとして説明したが、以下のように変更してもよい。なお、上述した実施形態に係る間欠切断転写装置１（下刃ロール４０）と同一部分には同一の符号を付して、相違する部分を主として説明する。
【００６５】
（１）変更例１
図８は、変更例１に係る下刃ロール４０を示す展開図である。図８に示すように、吸着領域４１Ａ−１は、ロール幅方向の中心を通る中心線（ＣＬ）を基準に対称に設けられている。なお、中心線（ＣＬ）は、必ずしもロール幅方向の中心である必要はなく、フィルムシート１０（フィルムシートの連続体１０Ａ）のＣＤ方向に沿った中心であればよく、例えば、一対のフレーム７１Ａ，７１Ｂ間の中心であってもよいことは勿論である。
【００６６】
具体的には、吸着領域４１Ａ−１は、ロール幅方向に沿った幅方向領域４１１と、幅方向領域４１１の端部に位置し、かつ、ロール幅方向に対して傾斜した傾斜領域４１２Ａ，４１２Ｂとによって構成されている。
【００６７】
傾斜領域４１２Ａ，４１２Ｂは、ロール回転方向の逆方向へ向かって互いに広がるように傾斜する。すなわち、一方の傾斜領域４１２Ａは、他方の傾斜領域４１２Ｂと異なる方向へ傾斜する。
【００６８】
吸着領域４１Ａ−１に形成される複数の吸着穴４３は、幅方向領域４１２Ａ及び傾斜領域４１２Ｂに沿って配列されている。つまり、傾斜領域４１２Ａ，４１２Ｂに沿った複数の吸着穴４３は、ロール回転方向の逆方向へ向かって広がるように配列されている。
【００６９】
変更例１に係る間欠切断転写装置１によれば、傾斜領域４１２Ａ，４１２Ｂは、ロール回転方向の逆方向へ向かって広がるように傾斜する。これによれば、フィルムシートの連続体１０Ａは、ロール回転方向かつロール幅方向外側に向かって引っ張られることとなる。従って、フィルムシートの連続体１０Ａにシワが発生することを抑制できるとともに、フィルムシートの連続体１０Ａにシワが発生してしまった場合であっても、該フィルムシートの連続体１０Ａに発生したシワを伸ばすことができる。
【００７０】
（２）変更例２
図９は、変更例２に係る下刃ロール４０を示す展開図である。図９に示すように、吸着領域４１Ａ−１は、中心線（ＣＬ）を基準に対称に設けられている。
【００７１】
具体的には、吸着領域４１Ａ−１は、中心線（ＣＬ）上に設けられる中心領域Ｃと、中心領域Ｃよりもロール幅方向外側に設けられる外側領域Ｓとによって構成されている。
【００７２】
中心領域Ｃは、ロール幅方向に沿った幅方向領域４１１Ａと、幅方向領域４１１の端部に位置し、かつ、ロール幅方向に対して傾斜した傾斜領域４１２Ａ，４１２Ｂとによって構成されている。
【００７３】
外側領域Ｓは、ロール幅方向に沿った幅方向領域４１１Ｂ，４１１Ｃと、幅方向領域４１１Ｂ，４１１Ｃのロール幅方向外側の端部に位置し、かつ、ロール幅方向に対して傾斜した傾斜領域４１２Ｃ，４１２Ｄとによって構成されている。なお、傾斜領域４１２Ｃは、傾斜領域４１２Ａと略平行に設けられ、傾斜領域４１２Ｄは、傾斜領域４１２Ｂと略平行に設けられている。
【００７４】
傾斜領域４１２Ａ〜４１２Ｄは、中心線（ＣＬ）を基準に、ロール回転方向の逆方向へ向かって互いに広がるように傾斜する。すなわち、傾斜領域４１２Ａ，４１２Ｃは、傾斜領域４１２Ｂ，４１２Ｄと異なる方向へ傾斜する。
【００７５】
吸着領域４１Ａ−１に形成される複数の吸着穴４３は、幅方向領域４１１Ａ〜４１１Ｃ及び傾斜領域４１２Ａ〜４１２Ｄに沿って配列されている。つまり、傾斜領域４１２Ａ〜４１２Ｄに沿った複数の吸着穴４３は、中心線（ＣＬ）を基準に、ロール回転方向の逆方向へ向かって広がるように配列されている。
【００７６】
変更例２に係る間欠切断転写装置１によれば、傾斜領域４１２Ａ〜４１２Ｄは、ロール回転方向の逆方向へ向かって広がるように傾斜することによって、変更例１に係る間欠切断転写装置１と同様の作用・効果を得ることができる。
【００７７】
（３）変更例３
図１０は、変更例３に係る下刃ロール４０を示す展開図である。図１０に示すように、吸着領域４１Ａ−１は、中心線（ＣＬ）を基準に対称に設けられている。
【００７８】
具体的には、吸着領域４１Ａ−１は、ロール幅方向に沿った幅方向領域４１１と、幅方向領域４１１の端部に位置し、かつ、ロール幅方向に対して傾斜した傾斜領域４１２Ａ，４１２Ｂと、ロール幅方向に向かって傾斜領域４１２Ａ，４１２Ｂから離間される離間領域４１３Ａ，４１３Ｂとによって構成されている。
【００７９】
傾斜領域４１２Ａ，４１２Ｂは、ロール回転方向の逆方向へ向かって広がるように傾斜する。すなわち、一方の傾斜領域４１２Ａは、他方の傾斜領域４１２Ｂと異なる方向へ傾斜する。
【００８０】
離間領域４１３Ａ，４１３Ｂは、傾斜領域４１２Ａ，４１２Ｂのそれぞれと略平行に設けられている。すなわち、離間領域４１３Ａは、傾斜領域４１２Ａと略平行に設けられる。一方、離間領域４１３Ｂは、傾斜領域４１２Ｂと略平行に設けられる。
【００８１】
吸着領域４１Ａ−１形成される複数の吸着穴４３は、幅方向領域４１１、傾斜領域４１２Ａ，４１２Ｂ及び離間領域４１３Ａ，４１３Ｂにそれぞれ沿って配列されている。つまり、傾斜領域４１２Ａ，４１２Ｂ及び離間領域４１３Ａ，４１３Ｂに沿った複数の吸着穴４３は、ロール回転方向の逆方向へ向かって広がるように配列されている。
【００８２】
変更例３に係る間欠切断転写装置１によれば、傾斜領域４１２Ａ〜４１２Ｄは、ロール回転方向の逆方向へ向かって広がるように傾斜することによって、変更例１，２に係る間欠切断転写装置１と同様の作用・効果を得ることができる。
【００８３】
（４）変更例４
図１１は、変更例４に係る下刃ロール４０を示す展開図である。図１４に示すように、吸着領域４１Ａ−１は、中心線（ＣＬ）を基準に対称に設けられている。
【００８４】
具体的には、吸着領域４１Ａ−１は、ロール周方向及びロール幅方向に沿って複数設けられている。すなわち、吸着領域４１Ａ−１は、ロール周方向及びロール幅方向に対して、分離して設けられている。
【００８５】
吸着領域４１Ａ−１は、ロール幅方向に対して傾斜する。中心線（ＣＬ）を基準に、一側に位置する吸着領域４１Ａ−１Ａは、他側に位置する吸着領域４１Ａ−１Ｂと異なる方向へ傾斜する。
【００８６】
吸着領域４１Ａ−１形成される複数の吸着穴４３は、分離されている各吸着領域４１Ａ−１にそれぞれ沿って配列されている。つまり、複数の吸着穴４３は、中心線（ＣＬ）を基準に、ロール回転方向の逆方向へ向かって広がるように傾斜している。中心線（ＣＬ）を基準に、一側に位置する吸着領域４１Ａ−１Ａに沿った複数の吸着穴４３は、他側に位置する吸着領域４１Ａ−１Ｂに沿った複数の吸着穴４３と異なる方向へ向かって配列されている。
【００８７】
変更例３に係る間欠切断転写装置１によれば、吸着領域４１Ａ−１が、ロール幅方向に対して傾斜し、中心線（ＣＬ）を基準に、一側に位置する吸着領域４１Ａ−１Ａが、他側に位置する吸着領域４１Ａ−１Ｂと異なる方向へ傾斜することによって、変更例１〜３に係る間欠切断転写装置１と同様の作用・効果を得ることができる。
【００８８】
［その他の実施の形態］
上述したように、本発明の実施の形態を通じて本発明の内容を開示したが、この開示の一部をなす論述及び図面は、本発明を限定するものであると理解すべきではない。
【００８９】
実施形態では、上刃ロール３０の外周面３１上には、２つのブレード３２が設けられているものとして説明したが、これに限定されるものではなく、少なくとも１つのブレード３２が設けられていればよい。同様に、下刃ロール４０の外周面４１上には、少なくとも１つの受け刃４２が設けられていればよい。
【００９０】
実施形態では、第１領域４１Ｂは、ロール幅方向に沿っている（幅方向領域）ものとして説明したが、これに限定されるものではなく、変更例１〜３の様々な組み合わせに対応することができることは勿論である。
【００９１】
実施形態では、第２領域４１Ｂは、エッジ領域４１Ｂ−１と、中央領域４１Ｂ−２とによって構成されているものとして説明したが、これに限定されるものではなく、第１領域４１Ａと同様の構成であってもよいことは勿論である。
【００９２】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００９３】
【図１】本実施形態に係る間欠切断転写装置１を示す斜視図である。
【図２】本実施形態に係る間欠切断転写装置１を示す側面図（図１のＡ矢視図）である。
【図３】本実施形態に係る下刃ロール４０を示すロール幅方向断面図（図１のＢ−Ｂ断面図）である。
【図４】本実施形態に係る下刃ロール４０を示す斜視図である。
【図５】本実施形態に係る下刃ロール４０を示す展開図である。
【図６】本実施形態に係る吸着穴近傍を示す拡大図である。
【図７】本実施形態に係るフィルムシートを示す上面図である。
【図８】変更例１に係る下刃ロール４０を示す展開図である。
【図９】変更例２に係る下刃ロール４０を示す展開図である。
【図１０】変更例３に係る下刃ロール４０を示す展開図である。
【図１１】変更例４に係る下刃ロール４０を示す展開図である。
【符号の説明】
【００９４】
１…間欠切断転写装置、１０…フィルムシート、１０Ａ…フィルムシートの連続体、１１…両側縁領域、１１Ａ…両端部、１２…前端領域、１２Ａ…前端部、１３…残りの領域、２０…ウェブ、３０…上刃ロール、３１…外周面、３２…ブレード、４０…下刃ロール、４１…外周面、４１Ａ…第１領域、４１Ａ−１…吸着領域、４１Ａ−２…非吸着領域、４１Ｂ−１…エッジ領域、４１Ｂ−２…中央領域、４１Ｂ…第２領域、４２…受け刃、４３…吸着穴、４４ａ，４４ｂ…端面、４５Ａ，４５Ｂ…横穴、４６Ａ，４６Ｂ…開口穴、５０…転写ロール、６０〜６４…駆動ロール、７０…ロール軸、７１Ａ，７１Ｂ…フレーム、７２…軸受、８０…吸着部材、８１…第１吸着用溝、８２…第２吸着用溝、８３…転写用溝、８４，８５…サクション用接続管、９０…封止部材、４１１（４１１Ａ，４１１Ｂ）…幅方向領域、４１２Ａ〜４１２Ｄ…傾斜領域、４１３Ａ，４１３Ｂ，４１４Ａ〜４１４Ｆ…離間領域
【図１】
2010013196.tif 000003
【図２】
2010013196.tif 000004
【図３】
2010013196.tif 000005
【図４】
2010013196.tif 000006
【図５】
2010013196.tif 000007
【図６】
2010013196.tif 000008
【図７】
2010013196.tif 000009
【図８】
2010013196.tif 000010
【図９】
2010013196.tif 000011
【図１０】
2010013196.tif 000012
【図１１】
2010013196.tif 000013
【手続補正書】
【提出日】平成20年7月2日(2008.7.2)
【手続補正１】
【補正対象書類名】明細書
【補正対象項目名】００３２
【補正方法】変更
【補正の内容】
【００３２】
第１吸着用溝８１は、下刃ロール４０に形成される横穴４５Ａに対応し、かつ、下刃ロール４０の外周面４１にフィルムシートの連続体１０Ａが巻き付く部分に対応した位置に形成されている。第１吸着用溝８１には、該第１吸着用溝８１と、横穴４５Ａ内のエアーを吸引するサクションエアー供給手段（不図示）とを接続するサクション用接続管８４が連結されている。
【手続補正２】
【補正対象書類名】明細書
【補正対象項目名】００７２
【補正方法】変更
【補正の内容】
【００７２】
中心領域Ｃは、ロール幅方向に沿った幅方向領域４１１Ａと、幅方向領域４１１Ａの端部に位置し、かつ、ロール幅方向に対して傾斜した傾斜領域４１２Ａ，４１２Ｂとによって構成されている。
【手続補正３】
【補正対象書類名】明細書
【補正対象項目名】００８２
【補正方法】変更
【補正の内容】
【００８２】
変更例３に係る間欠切断転写装置１によれば、傾斜領域４１２Ａ，４１２Ｂ及び離間領域４１３Ａ，４１３Ｂは、ロール回転方向の逆方向へ向かって広がるように傾斜することによって、変更例１，２に係る間欠切断転写装置１と同様の作用・効果を得ることができる。
【手続補正４】
【補正対象書類名】明細書
【補正対象項目名】００８３
【補正方法】変更
【補正の内容】
【００８３】
（４）変更例４
図１１は、変更例４に係る下刃ロール４０を示す展開図である。図１１に示すように、吸着領域４１Ａ−１は、中心線（ＣＬ）を基準に対称に設けられている。
【手続補正５】
【補正対象書類名】明細書
【補正対象項目名】００８７
【補正方法】変更
【補正の内容】
【００８７】
変更例４に係る間欠切断転写装置１によれば、吸着領域４１Ａ−１が、ロール幅方向に対して傾斜し、中心線（ＣＬ）を基準に、一側に位置する吸着領域４１Ａ−１Ａが、他側に位置する吸着領域４１Ａ−１Ｂと異なる方向へ傾斜することによって、変更例１〜３に係る間欠切断転写装置１と同様の作用・効果を得ることができる。
【手続補正６】
【補正対象書類名】明細書
【補正対象項目名】００９０
【補正方法】変更
【補正の内容】
【００９０】
実施形態では、第１領域４１Ａは、ロール幅方向に沿っている（幅方向領域）ものとして説明したが、これに限定されるものではなく、変更例１〜４の様々な組み合わせに対応することができることは勿論である。
【手続補正７】
【補正対象書類名】明細書
【補正対象項目名】００９３
【補正方法】変更
【補正の内容】
【００９３】
【図１】本実施形態に係る間欠切断転写装置１を示す斜視図である。
【図２】本実施形態に係る間欠切断転写装置１を示す側面図（図１のＡ矢視図）である。
【図３】本実施形態に係る下刃ロール４０を示すロール幅方向断面図（図２のＢ−Ｂ断面図）である。
【図４】本実施形態に係る下刃ロール４０を示す斜視図である。
【図５】本実施形態に係る下刃ロール４０を示す展開図である。
【図６】本実施形態に係る吸着穴４３近傍を示す拡大図である。
【図７】本実施形態に係るフィルムシート１０を示す上面図である。
【図８】変更例１に係る下刃ロール４０を示す展開図である。
【図９】変更例２に係る下刃ロール４０を示す展開図である。
【図１０】変更例３に係る下刃ロール４０を示す展開図である。
【図１１】変更例４に係る下刃ロール４０を示す展開図である。